(57)【要約】【課題】  装置の故障で信号断を示す情報が出力されない場合を検出する。【解決手段】  光通信装置は、一芯双方向の光伝送路に接続される波長分割多重部と、波長分割多重部を介して光伝送路に信号光を送信する送信部と、波長分割多重部を介して光伝送路から信号光を受信し、受信した信号光に応じた電気信号を出力する受信部と、受信部が光伝送路から信号光を受信していないときに、信号断を示す情報を出力する信号断検出部と、信号断を示す情報を受けたときに、受信部から受けた電気信号の出力をブロックするブロック部と、ブロック部から出力される電気信号のうち、エラー信号をカウントするカウンタ部と、所定時間でのエラー信号のカウント数が閾値を超えたときに、信号断検出部の異常を示す異常情報を出力する制御部と、を有する。【選択図】  図２
2015171060.tif 000002
【特許請求の範囲】
【請求項１】
一芯双方向の光伝送路に接続される波長分割多重部と、
前記波長分割多重部を介して前記光伝送路に信号光を送信する送信部と、
前記波長分割多重部を介して前記光伝送路から信号光を受信し、受信した信号光に応じた電気信号を出力する受信部と、
前記受信部が前記光伝送路から前記信号光を受信していないときに、信号断を示す情報を出力する信号断検出部と、
前記信号断を示す情報を受けたときに、前記受信部から受けた前記電気信号の出力をブロックするブロック部と、
前記ブロック部から出力される電気信号のうち、エラー信号をカウントするカウンタ部と、
所定時間での前記エラー信号のカウント数が閾値を超えたときに、前記信号断検出部の異常を示す異常情報を出力する制御部と、
を備えることを特徴とする光通信装置。
【請求項２】
請求項１に記載の光通信装置において、
前記制御部は、前記所定時間での前記エラー信号のカウント数が閾値を超えたときに、前記送信部に前記信号光の送信を停止させることを特徴とする光通信装置。
【請求項３】
一芯双方向の光伝送路に接続される波長分割多重部と、
前記波長分割多重部を介して前記光伝送路に信号光を送信する送信部と、
前記波長分割多重部を介して前記光伝送路から信号光を受信し、受信した信号光に応じた電気信号を出力する受信部と、
前記受信部が前記光伝送路から前記信号光を受信していないときに、信号断を示す情報を出力する信号断検出部と、
前記信号断を示す情報を受けたときに、前記受信部から受けた前記電気信号の出力をブロックするブロック部と、を備える光通信装置の制御方法であって、
前記ブロック部から出力される電気信号のうち、エラー信号をカウントし、
所定時間での前記エラー信号のカウント数が閾値を超えたときに、前記信号断検出部の異常を示す異常情報を出力することを特徴とする光通信装置の制御方法。
【請求項４】
請求項３に記載の光通信装置の制御方法において、
前記所定時間での前記エラー信号のカウント数が閾値を超えたときに、前記送信部に前記信号光の送信を停止させることを特徴とする光通信装置の制御方法。
【発明の詳細な説明】
【技術分野】
【０００１】
本発明は、光通信装置および光通信装置の制御方法に関する。
【背景技術】
【０００２】
従来から、光伝送路の送信信号と受信信号を光カプラで分岐する光通信装置が知られている。この種の光通信装置において、光カプラでの送信信号の反射によって誤データが発生することを抑制するために、例えば、送信信号の送信期間に光減衰器で送信信号の反射光を減衰させることも提案されている（例えば、特許文献１参照）。
【先行技術文献】
【特許文献】
【０００３】
【特許文献１】特開平７−１５４３４０号公報
【発明の概要】
【発明が解決しようとする課題】
【０００４】
この種の光通信装置では、光信号を検知できないときに信号断を示すＬＯＳ（Loss Of Signal）アラームが受信部から出力され、ＬＯＳアラームの出力時には受信部から出力される信号をブロックする制御が行われる。
【０００５】
ところで、装置の故障でＬＯＳアラームが出力されない場合、送信信号の反射光を受けて受信部が出力した信号がブロックされずに出力される。送信信号の反射光による信号は大部分がエラー信号となるが、送信信号の反射光による信号の一部は正常な信号として外部に出力されうるので、外部から光通信装置が受けた信号がそのまま外部に返されて信号のループが発生する場合がある。このような信号のループは、光通信装置が接続されたネットワーク上での通信障害の原因となる。
【０００６】
また、装置の故障でＬＯＳアラームが出力されない場合、対向装置や伝送路から受けるノイズ信号も、送信信号の反射光による信号と同様にブロックされずに出力される。このようなノイズ信号も、一部は正常な信号として外部に出力されうるので、光通信装置が接続されたネットワーク上での通信障害の原因となる。
【０００７】
本件開示の光通信装置および光通信装置の制御方法は、装置の故障で信号断を示す情報が出力されない場合を検出するための技術を提供することを目的とする。
【課題を解決するための手段】
【０００８】
一つの観点による光通信装置は、一芯双方向の光伝送路に接続される波長分割多重部と、波長分割多重部を介して光伝送路に信号光を送信する送信部と、波長分割多重部を介して光伝送路から信号光を受信し、受信した信号光に応じた電気信号を出力する受信部と、受信部が光伝送路から信号光を受信していないときに、信号断を示す情報を出力する信号断検出部と、信号断を示す情報を受けたときに、受信部から受けた電気信号の出力をブロックするブロック部と、ブロック部から出力される電気信号のうち、エラー信号をカウントするカウンタ部と、所定時間でのエラー信号のカウント数が閾値を超えたときに、信号断検出部の異常を示す異常情報を出力する制御部と、を有する。
【０００９】
別の観点は、一芯双方向の光伝送路に接続される波長分割多重部と、波長分割多重部を介して光伝送路に信号光を送信する送信部と、波長分割多重部を介して光伝送路から信号光を受信し、受信した信号光に応じた電気信号を出力する受信部と、受信部が光伝送路から信号光を受信していないときに、信号断を示す情報を出力する信号断検出部と、信号断を示す情報を受けたときに、受信部から受けた電気信号の出力をブロックするブロック部と、を有する光通信装置の制御方法であって、ブロック部から出力される電気信号のうち、エラー信号をカウントし、所定時間でのエラー信号のカウント数が閾値を超えたときに、信号断検出部の異常を示す異常情報を出力する。
【発明の効果】
【００１０】
本件開示の光通信装置および光通信装置の制御方法は、装置の故障で信号断を示す情報が出力されない場合を検出できる。
【図面の簡単な説明】
【００１１】
【図１】光通信装置を含む通信システムの一実施形態を示す図である。
【図２】図１に示した光通信装置を示す図である。
【図３】信号断検出部が故障していないときの光通信装置の動作例を示す図である。
【図４】信号断検出部が故障したときの光通信装置の動作例を示す図である。
【図５】図１に示した光通信装置の動作例を示す図である。
【発明を実施するための形態】
【００１２】
以下、図面を用いて実施形態を説明する。
【００１３】
図１は、光通信装置を含む通信システムの一実施形態を示す。一実施形態の通信システム１００は、光通信装置１０（１）、１０（２）と、光ファイバ１１と、監視サーバ１２とを有する。以下の説明では、各々の光通信装置を区別して説明するときには、光通信装置１０（１）、１０（２）と表記し、光通信装置に共通の事項を説明するときには、光通信装置１０と表記する。
【００１４】
光通信装置１０（１）および光通信装置１０（２）は１本の光ファイバ１１で接続され、光通信装置１０（１）と光通信装置１０（２）との間でデータの送受信が行われる。なお、光ファイバ１１は、一芯双方向の光伝送路の一例である。光通信装置１０は、１本の光ファイバ１１でデータを送受信する一芯双方向の光通信が可能な通信装置であればよい。例えば、光通信装置１０は、ネットワークの光信号を中継する光中継装置や、コンピュータ端末やサーバに実装される光送受信回路であってもよい。また、例えば、光通信装置１０は、ＰＯＮ(Passive Optical Network)システムのＯＬＴ(Optical Line Termination)やＯＮＵ(Optical Network Unit)であってもよい。
【００１５】
なお、一実施形態において、光通信装置１０（１）は、例えばネットワーク１３に接続されている。また、光通信装置１０（２）は、例えば有線または無線の通信回線１４によりコンピュータ１５に接続されている。
【００１６】
また、光通信装置１０（１）、１０（２）は、それぞれ監視サーバ１２に接続されている。監視サーバ１２は、例えば、通信システム１００の管理者によって運用されるコンピュータである。監視サーバ１２は、各々の光通信装置１０から装置の動作異常を示す異常情報ＡＢＮを受け、通信システム１００に含まれる光通信装置１０の動作状況をそれぞれ監視する。なお、監視サーバ１２は、光通信装置１０から受けた異常情報ＡＢＮを保持する記憶部１２ａと、異常情報ＡＢＮに基づく光通信装置１０の動作状況（例えば、光通信装置１０の異常の有無）を表示する表示部１２ｂとを有する。また、異常情報ＡＢＮは、例えば、syslog機能またTrap機能による光通信装置１０から監視サーバ１２へのイベント通知である。
【００１７】
図２は、図１に示した光通信装置１０（１）を示す。なお、図１に示した光通信装置１０（２）の構成は、光通信装置１０（１）と同様である。そのため、一実施形態では光通信装置１０（１）の構成を説明し、光通信装置１０（２）との重複説明は省略する。
【００１８】
光通信装置１０（１）は、ＷＤＭ(Wavelength Division Multiplex)フィルタ２１と、送信部２２と、受信部２３と、ブロック部２４と、信号処理部２５と、制御部２６とを有する。ここで、送信部２２、ブロック部２４、制御部２６は、信号処理部２５とそれぞれ接続されている。
【００１９】
ＷＤＭフィルタ２１は、波長分割多重部の一例であって、光ファイバ１１と、送信部２２および受信部２３とに接続される。ＷＤＭフィルタ２１は、送信部２２から出力される第１波長の信号光と、受信部２３が受信する第２波長の信号光とを多重化する。また、ＷＤＭフィルタ２１は、多重化された信号光のうち、光ファイバ１１から出力される第２波長の信号光を分離して受信部２３に入射させる。第１波長および第２波長はそれぞれ異なる帯域である。第１波長は、例えば１．３マイクロメートル帯または１．５マイクロメートル帯のいずれか一方であり、第２波長は、例えば１．３マイクロメートル帯または１．５マイクロメートル帯のいずれか他方である。
【００２０】
送信部２２は、例えばレーザダイオードなどの半導体発光素子を含み、信号処理部２５から受けた送信データの電気信号を第１波長の光信号に変換する。送信部２２から出力される光信号は、ＷＤＭフィルタ２１および光ファイバ１１を介して他の光通信装置（１０（２））に送信される。また、送信部２２は、光信号の送信停止を示す制御信号ＳＴＰを制御部２６から受けたとき、光信号の出力を停止する。
【００２１】
受信部２３は、例えばフォトダイオードなどの半導体受光素子を含み、ＷＤＭフィルタ２１からの入射光を受けて、受信した信号光に応じた受信データの電気信号を後段のブロック部２４に出力する。
【００２２】
また、受信部２３は、光信号の信号断を検知する信号断検出部２７を有している。信号断検出部２７は、受信部２３が受ける光の受光レベルを監視する。そして、信号断検出部２７は、受光レベルが閾値ＴＨ１以下のときには光ファイバ１１からの信号断を示す制御信号ＬＯＳ（ＬＯＳアラーム）をブロック部２４に出力する。信号断検出部２７の受光レベルの閾値ＴＨ１は、予め実験等で求められており、受信データの信号光の強度よりも低く、ＷＤＭフィルタ２１の反射光やノイズ成分よりも高いレベルに設定されている。なお、制御信号ＬＯＳは、信号断を示す情報の一例である。
【００２３】
ブロック部２４は、信号断検出部２７から制御信号ＬＯＳを受けたときに、受信部２３から出力される電気信号をブロックする。また、ブロック部２４は、信号断検出部２７から制御信号ＬＯＳを受けていないときに、受信部２３から出力される受信データの電気信号を信号処理部２５にそのままスルー出力する。
【００２４】
信号処理部２５は、データ送受信のための信号処理を行うプロセッサである。信号処理部２５は、送信データの電気信号を送信部２２に出力し、ブロック部２４から出力される受信データの電気信号を受けて各種の信号処理を行う。また、信号処理部２５は、カウンタ部２８を有している。カウンタ部２８は、ブロック部２４から出力される電気信号のうち、データに誤りがあるエラー信号を検出し、エラー信号の数をカウントする。
【００２５】
制御部２６は、光通信装置１０（１）の各部の動作を統括的に制御する。また、制御部２６は、光通信装置１０（１）の動作異常を示す異常情報ＡＢＮを、図１に示した監視サーバ１２に出力する。例えば、制御部２６は、カウンタ部２８を参照して所定時間でのエラー信号のカウント数が閾値ＴＨ２を超えたときに、光通信装置１０（１）の設定に応じて、信号断検出部２７の異常を示す異常情報ＡＢＮを出力する。制御部２６は、例えば、１０分間に５回以上のエラー信号をカウントしたときに、信号断検出部２７の異常を示す異常情報ＡＢＮを出力してもよい。
【００２６】
また、制御部２６は、送信部２２に制御信号ＳＴＰを出力し、送信部２２に光信号の出力を停止させる光送信停止の制御を行う。なお、制御部２６は、所定時間でのエラー信号のカウント数が閾値ＴＨ２を超えたときに、光通信装置１０（１）の設定に応じて、光送信停止の制御を行ってもよい。
【００２７】
図３は、信号断検出部２７が故障していないときの光通信装置１０の動作例を示す。
【００２８】
光通信装置１０が光ファイバ１１を介して他の光通信装置にデータを送信するとき、信号処理部２５は、送信データの電気信号を送信部２２に出力する（図３の矢印（ａ））。送信部２２は、送信データの電気信号を第１波長の信号光に変換して出力する（図３の矢印（ｂ））。第１波長の信号光は、ＷＤＭフィルタ２１および光ファイバ１１を介して他の光通信装置に出力される。このとき、光通信装置１０のＷＤＭフィルタ２１では、フィルタの特性により信号光の反射が生じ、送信部２２から出力された信号光の成分が受信部２３にも回り込む（図３の破線矢印（ｃ））。受信部２３は、送信部２２から反射した信号光の場合も光電変換して後段に出力する（図３の破線矢印（ｄ））。
【００２９】
また、受信部２３の信号断検出部２７は、受信部２３が受ける光の受光レベルを監視し、受光レベルが閾値ＴＨ１以下のときには制御信号ＬＯＳをブロック部２４に出力する（図３の矢印（ｅ））。そして、ブロック部２４は、信号断検出部２７から制御信号ＬＯＳを受けたときに、受信部２３から出力される電気信号をブロックする。なお、図３では、ブロック部２４によるブロック動作を「×」印で示す。
【００３０】
ここで、送信部２２から反射した信号光を受けたときの受信部２３の受光レベルは、受信データの受光レベルよりも低い。受信部２３が受信データの信号光を受けずに送信部２２から反射した信号光を受けているときには、受光部２３の受光レベルが閾値ＴＨ１以下となるので、信号断検出部２７は制御信号ＬＯＳを出力する。これにより、送信部２２から反射した信号光を受けて受信部２３が出力する電気信号は、いずれもブロック部２４でブロックされ、信号処理部２５には出力されない。
【００３１】
また、光通信装置１０の受信部２３は、光ファイバ１１や対向する他の光通信装置からノイズ成分の光を受ける（図３の破線矢印（ｆ））。送信部２２から反射した信号光の場合と同様に、ノイズ成分の光の受光レベルも、受信データの信号光の受光レベルよりも低い。受信部２３が受信データの信号光を受けずにノイズ成分の光を受けているときには、受信部２３の受光レベルが閾値ＴＨ１以下となるので、信号断検出部２７は制御信号ＬＯＳを出力する。これにより、ノイズ成分の光を受けて受信部２３が出力する電気信号は、いずれもブロック部２４でブロックされ、信号処理部２５には出力されない。
【００３２】
一方、図４は、信号断検出部２７が故障したときの光通信装置１０の動作例を示す。なお、図４に示す矢印（ａ）、（ｂ）、（ｃ）、（ｄ）、（ｆ）は、図３の場合と同様であるので重複説明を省略する。
【００３３】
光通信装置１０の信号断検出部２７が故障している場合、受信部２３の受光レベルが閾値ＴＨ１以下であっても制御信号ＬＯＳがブロック部２４に出力されない。図４では、制御信号ＬＯＳが出力されない状態を「×」印で示す。したがって、送信部２２から反射した信号光（破線矢印（ｃ））やノイズ成分の光（破線矢印（ｆ））を受けて受信部２３が出力する電気信号は、いずれもブロック部２３でブロックされずに信号処理部２５に出力される（図４の破線矢印（ｇ））。送信部２２から反射した信号光やノイズ成分の光を受けて受信部２３が出力する電気信号は、大半がエラー信号となるが、一部は正常な信号として信号処理部２５で処理されうる。送信部２２の反射光やノイズ成分の光に由来する電気信号が正常な信号として誤って外部に出力されると、ネットワーク上での通信障害の原因となる。例えば、外部から光通信装置１０が受けた信号がそのまま外部に返された場合には、信号のループが発生する。
【００３４】
一実施形態での光通信装置１０は、以下の手法により信号断検出部２７の故障を検出する。信号断検出部２７が故障した場合、送信部２２の反射光やノイズ成分の光に由来する電気信号は大半がエラー信号となるので、信号断検出部２７が故障していない場合と比べて、エラー信号の数が大幅に増加する。そこで、信号処理部２５のカウンタ部２８はエラー信号の数をカウントする（図４の矢印（ｈ））。そして、制御部２６は、カウンタ部２８を参照して所定時間でのエラー信号のカウント数が閾値ＴＨ２を超えたときに、信号断検出部２７の異常を示す異常情報ＡＢＮを出力する（図４の矢印（ｉ））。
【００３５】
異常情報ＡＢＮを受けた監視サーバ１２は、例えば、表示部１２ｂに光通信装置１０の信号断検出部２７の故障を示す表示を行う。これにより、通信システム１００の管理者は、監視サーバ１２を介して信号断検出部２７の故障による光通信装置１０の異常を察知できる。
【００３６】
ここで、一実施形態において、所定時間でのエラー信号のカウント数が閾値ＴＨ２を超えたときに、異常情報ＡＢＮを出力するのは以下の理由による。
【００３７】
例えば、比較例として、エラー信号が検出されるごとに光通信装置が監視サーバに通知を行う場合を考える。比較例の場合には、監視サーバの通知を受ける頻度が上昇し、信号断検出部の故障を示す情報が多数の通知の中に埋もれてしまい、信号断検出部の故障を示す情報の発見が困難になる。一方、一実施形態の光通信装置１０では、所定時間でのエラー信号のカウント数が閾値ＴＨ２を超えたときに異常情報ＡＢＮを出力することで、比較例と比べて監視サーバへの通知の頻度が低くなる。そのため、一実施形態の場合には、比較例と比べて信号断検出部２７の故障を管理者が見逃す可能性が低くなる。
【００３８】
また、例えば、光ファイバ１１を挿抜した場合や、光ファイバ１１を動かして一時的に負荷が加わった場合にもエラー信号が出力されることがあるが、光通信装置１０に異常はないため監視サーバ１２には通知を行わないことが好ましい。光ファイバ１１の挿抜や光ファイバ１１を動かした場合のエラー信号の出力は一時的なものであるので、所定時間でのエラー信号のカウント数をみると、信号断検出部２７の故障の場合と比べてエラー信号のカウント数は少なくなる。そのため、所定時間でのエラー信号のカウント数をみることで、光ファイバ１１の挿抜や光ファイバ１１を動かした場合と、信号断検出部２７の故障の場合とを区別できる。よって、一実施形態の光通信装置１０は、所定時間でのエラー信号のカウント数が閾値ＴＨ２を超えたときに異常情報ＡＢＮを出力することで、光ファイバ１１の挿抜や光ファイバ１１を動かした場合等での監視サーバ１２への通知を省くことができる。
【００３９】
また、一実施形態の制御部２６は、所定時間でのエラー信号のカウント数が閾値ＴＨ２を超えたときに、送信部２２に制御信号ＳＴＰを出力し、送信部２２に光信号の出力を停止させる光送信強制停止の制御を行うことができる（図４の矢印（ｊ））。すなわち、光通信装置１０は、光送信強制停止の制御により、信号断検出部２７の故障のときに、送信部２２からの光が受信部２３に入射すること自体を防止できる。
【００４０】
図５は、図１に示した光通信装置１０の動作例を示す。図５は、光通信装置１０の制御方法の一例である。図５に示す動作は、例えば、光通信装置１０の制御部２６がプログラムを実行することで実現される。なお、図５に示す動作は、光通信装置１０のハードウェアによって実行されてもよい。
【００４１】
ステップＳ１０１において、制御部２６は、光通信装置１０の通信ポートの設定が有効であるか否かを判定する。通信ポートの設定が有効である場合（ＹＥＳ）、ステップＳ１０２に処理が移行する。一方、通信ポートの設定が無効である場合（ＮＯ）、図５の処理が終了する。なお、通信ポートの設定が無効である場合、光通信装置１０がデータの送受信を行うことはない。
【００４２】
ステップＳ１０２において、制御部２６は、カウンタ部２８を起動させてエラー信号のカウントを準備させる。
【００４３】
ステップＳ１０３において、ブロック部２４は、信号断検出部２７から制御信号ＬＯＳを受信したか否かを判定する。制御信号ＬＯＳを受信した場合（ＹＥＳ）、ステップＳ１０４に処理が移行する。一方、制御信号ＬＯＳを受信していない場合（ＮＯ）、ステップＳ１０５に処理が移行する。なお、制御信号ＬＯＳを受信していない場合（ＮＯ）には、受信部２３から出力される受信データの電気信号は、ブロック部２４を通過して信号処理部２５に出力される。
【００４４】
ステップＳ１０４において、ブロック部２４は、受信部２３から出力される受信データの電気信号をブロックし、ブロックされた受信データを廃棄する。ステップＳ１０４の後、図５の処理が終了する。
【００４５】
ステップＳ１０５において、カウンタ部２８は、受信データの電気信号がエラー信号であるか否かを判定する。受信データの電気信号がエラー信号である場合（ＹＥＳ）、ステップＳ１０７に処理が移行する。一方、受信データの電気信号がエラー信号でない場合（ＮＯ）、ステップＳ１０６に処理が移行する。
【００４６】
ステップＳ１０６において、信号処理部２５は、正常な受信データに所定の信号処理を施して出力する。このとき、カウンタ部２８は、正常に受信された受信データの数をカウントしてもよい。ステップＳ１０６の後、図５の処理が終了する。
【００４７】
ステップＳ１０７において、カウンタ部２８は、エラー信号のカウンタをインクリメントする。
【００４８】
ステップＳ１０８において、制御部２６は、所定期間（例えば１０分）が経過したか否かを判定する。ここで、所定期間の起算は、例えば、カウンタ部２８を起動させた時点からでもよく、最初にエラー信号をカウントしたときからでもよい。所定期間が経過した場合（ＹＥＳ）、ステップＳ１０９に処理が移行する。一方、所定期間が経過していない場合（ＮＯ）、ステップＳ１０３に処理が戻る。
【００４９】
ステップＳ１０９において、制御部２６は、カウンタ部２８を参照し、所定期間内のエラー信号のカウント数が閾値ＴＨ２を超えたか否か（エラー信号のカウント数＞ＴＨ２）を判定する。所定期間内のエラー信号のカウント数が閾値ＴＨ２を超えた場合（ＹＥＳ）、ステップＳ１１０に処理が移行する。一方、所定期間内のエラー信号のカウント数が閾値ＴＨ２以下の場合（ＮＯ）、図５の処理が終了する。
【００５０】
ステップＳ１１０において、制御部２６は、光送信停止の制御が現在行われている状態（光送信停止状態）か否かを判定する。光送信停止状態の場合（ＹＥＳ）、ステップＳ１１１に処理が移行する。一方、光送信停止状態ではない場合（ＮＯ）、ステップＳ１１３に処理が移行する。
【００５１】
ステップＳ１１１において、制御部２６は、監視サーバ１２への異常情報ＡＢＮの通知設定が有効であるか否かを判定する。異常情報ＡＢＮの通知設定が有効である場合（ＹＥＳ）、ステップＳ１１２に処理が移行する。一方、異常情報ＡＢＮの通知設定が無効である場合（ＮＯ）、図５の処理が終了する。
【００５２】
ステップＳ１１２において、制御部２６は、監視サーバ１２へ異常情報ＡＢＮを通知する。ステップＳ１１２の後、図５の処理が終了する。
【００５３】
ステップＳ１１３において、制御部２６は、監視サーバ１２への異常情報ＡＢＮの通知設定が有効であるか否かを判定する。異常情報ＡＢＮの通知設定が有効である場合（ＹＥＳ）、ステップＳ１１４に処理が移行する。一方、異常情報ＡＢＮの通知設定が無効である場合（ＮＯ）、ステップＳ１１６に処理が移行する。
【００５４】
ステップＳ１１４において、制御部２６は、信号断検出部２７の故障時の光送信強制停止の制御を行う設定が有効であるか否かを判定する。光送信強制停止の設定が有効である場合（ＹＥＳ）、ステップＳ１１５に処理が移行する。一方、光送信強制停止の設定が無効である場合（ＮＯ）、ステップＳ１１２に処理が移行する。
【００５５】
ステップＳ１１５において、制御部２６は、監視サーバ１２へ異常情報ＡＢＮを通知する。また、制御部２６は、送信部２２に制御信号ＳＴＰを出力し、送信部２２に光信号の出力を停止させる光送信強制停止の制御を行う。ステップＳ１１５の後、図５の処理が終了する。
【００５６】
ステップＳ１１６において、制御部２６は、光送信強制停止の設定が有効であるか否かを判定する。光送信強制停止の設定が有効である場合（ＹＥＳ）、ステップＳ１１７に処理が移行する。一方、光送信強制停止の設定が無効である場合（ＮＯ）、図５の処理が終了する。
【００５７】
ステップＳ１１７において、制御部２６は、送信部２２に制御信号ＳＴＰを出力し、送信部２２に光信号の出力を停止させる光送信強制停止の制御を行う。以上で、図５の説明を終了する。
【００５８】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００５９】
１００…通信システム、１０…光通信装置、１１…光ファイバ、１２…監視サーバ、１２ａ…記憶部、１２ｂ…表示部、１３…ネットワーク、１４…通信回線、１５…コンピュータ、２１…ＷＤＭフィルタ、２２…送信部、２３…受信部、２４…ブロック部、２５…信号処理部、２６…制御部、２７…信号断検出部、２８…カウンタ部
【図１】
2015171060.tif 000003
【図２】
2015171060.tif 000004
【図３】
2015171060.tif 000005
【図４】
2015171060.tif 000006
【図５】
2015171060.tif 000007